(57)【要約】      （修正有）【課題】巻テープへの着脱が容易で、携帯性及び省コスト性に優れ、カッター機能を有するテープホルダーを提供する。【解決手段】折り曲げ可能な軟質材より成り、細長い帯片形状の携帯型テープホルダー１であって、帯片の長手方向中央部近傍に幅方向に形成された２の折り曲げ線３ａ、３ｂを有し、装着においては、帯片を巻テープ２の筒厚部分に１巻回させ、２の折り曲げ線を内側に折り、巻テープの筒内で帯片の相対する片を接合させることにより巻テープに装着させることを特徴とする。帯片の長手方向で向かい合う２の辺には、１ずつ反対方向から幅方向中央までの切込みが設けられており、切込みを互いに係合させて接合させる。ホルダーの巻テープの表面に接する部分は、折り曲げ線により矩形の片を形成し、該片の開放辺がテープカッターの機能を有し、引出した巻テープを前記辺に引っかけて切断することが可能となっている。【選択図】図３
0003197125.tif 000002
【実用新案登録請求の範囲】
【請求項１】
円筒の形状をなす巻テープを支持する携帯型テープホルダーであって、
前記巻テープに装着前の形状は細長い帯片であり、
前記帯片の長手方向中央部近傍に幅方向に形成された２の折り曲げ線を有し、
装着においては前記細長い帯片を前記巻テープの筒厚部分に１巻回させ前記２の折り曲げ線を内側に折り、前記円筒の筒内で前記帯片の相対する片を接合させることにより前記巻テープに装着させることを特徴とするテープホルダー。
【請求項２】
前記帯片は折り曲げ可能な軟質材より成り、
装着後においては、
前記２の折り曲げ線と帯片の長手方向２辺に囲まれた矩形の平面であって前記巻テープの表曲面の一部に冠着する頂片と、
前記巻テープの両側面の一部に狭着し前記筒内で接合する２の側片と、
前記接合した２の側片の前記接合部分より延伸する１又は２の下片と、
から成ることを特徴とする請求項１記載のテープホルダー。
【請求項３】
前記帯片の長手方向で向かい合う２の辺にはそれぞれ前記折り曲げ線からの垂直距離が等しくなる位置に幅方向中央までの切込みが設けられ、
前記巻テープへの装着においては、前記切込みを互いに係合させることにより前記２の側片を接合させることを特徴とする請求項１又は２記載のテープホルダー。
【請求項４】
前記２の側片は熱溶着又は接着剤によって接合させることを特徴とする請求項１又は２記載のテープホルダー。
【請求項５】
前記２の側片は接合部材を使用して接合させることを特徴とする請求項１又は２記載のテープホルダー。
【請求項６】
前記頂片の開放辺は辺自体がテープカッターとして前記巻テープを切断することが可能であることを特徴とする請求項１乃至５のいずれかに記載のテープホルダー。
【請求項７】
前記頂片の開放辺に硬質材のテープカッターが着設され、前記テープカッターにより前記巻テープを簡易に切断することを可能としたことを特徴とする請求項１乃至５のいずれかに記載のテープホルダー。
【考案の詳細な説明】
【技術分野】
【０００１】
本考案は、カッター機能を備える携帯型テープホルダーに関する。
【背景技術】
【０００２】
カッター機能を備えるテープホルダーとしては、デスク型と移動型が市販されている。デスク型のものは芯を円筒形の巻テープの筒部分に嵌め込んだものを本体に枢着させて使用する。一方、移動型のものは芯となる部分が一体となったプラスチック製の本体に巻テープを入れ込み、巻テープを丸ごと抱え込む構成となっている。
【０００３】
カッター部分には、通常、デスク型のものは金属製の鋸刃が設置され、移動型のものは同じく金属製の鋸刃か、又はプラスチック製の本体の一部が鋸刃状になっている。
【先行技術文献】
【特許文献】
【０００４】
【特許文献１】特開平８−２６５７５号
【特許文献２】実開平６−３７２５１号
【特許文献３】実開平６−６７４５５号
【特許文献４】特開２０１３−２４９１９４号
【考案の概要】
【考案が解決しようとする課題】
【０００５】
デスク型は本体が重くかさばるうえ、芯、カッター部分の刃といったように数種の部品で構成されるため、持運びには適さない。また、移動型のものは巻テープを丸ごと抱え込む構成のため、硬質のプラスチック製のホルダー本体が巻テープの大きさより一回り大きくなる。そのため、部屋間の移動や鞄等に入れて持運ぶことは可能であるが、常時、身に着けて携帯するといった使い方は難しい。
【０００６】
さらに、カッター部分が鋸刃状になっていて本体から突出しているため、ポケット等に入れたときには、この部分が出っ張り、内布や身体の一部に引っ掛りやすくなる。
【０００７】
特許文献１にはデスク型、特許文献２乃至４には持運び型のテープホルダーが開示されている。これらは、いずれもテープのカット操作又はカット後のテープ着接操作の容易性を課題としたものであるが、すべてのホルダーが巻テープより大きな硬性の本体を有し、複雑な構成のカッター部分がホルダー本体から突出しているため、携帯して使用することが難しいうえ、製造コストの問題がある。
【０００８】
上述の問題に鑑み、本考案においては、巻テープへの着脱が容易で、携帯性及び省コスト性に優れ、カッター機能を有するテープホルダーを提供することを課題とする。
【課題を解決するための手段】
【０００９】
上記課題を解決するために、本考案に係るテープホルダーは、細長い帯片形状の携帯型テープホルダーであって、帯片の長手方向中央部近傍に幅方向に形成された２の折り曲げ線を有し、装着においては、帯片を前記巻テープの筒厚部分に１巻回させ前記２の折り曲げ線を内側に折り、巻テープの筒内で前記帯片の相対する片を接合させることにより巻テープに装着させることを特徴とする。
【００１０】
前記細長い帯片はプラスチック等折り曲げ可能な軟質素材から成り、装着後においては、前記２の折り曲げ線と長手方向の２辺に囲まれた矩形の平面であって前記巻テープの表曲面の一部に冠着する頂片と、前記巻テープの両側面の一部に狭着し筒内で互いに接合する２の側片と、前記接合した２の側片より延伸する１又は２の下片とから成る。下片は、携帯時に指で巻テープを支持するために使用したり、リング孔を設置して、キーホルダーのように身体の一部に下げたりするときに使用できる。
【００１１】
前記２の側片を筒内において接合させる方法については、極めて簡便な方法が用いられている。すなわち、前記帯片の長手方向で向かい合う２の辺にはそれぞれ折り曲げ線からの垂直距離が等しくなる位置に幅方向中央までの切込みが設けられ、前記細長い帯片を前記巻テープの筒厚部分に１巻回させた後に前記切込みを互いに係合させて接合させる。この方法により巻テープへの簡易な着脱が可能となり、本テープホルダーの大きな特徴となっている。しかしながら、ホルダーを外す必要がない場合や、最初からホルダー付のテープとして販売する場合等には、ホッチキスや熱圧着などによる固定方法を採用してもよい。本テープホルダーは省コスト性に優れるため、このような使い捨て的な使用法が可能となる。
【００１２】
本テープホルダーのもう一つの特徴は、構成が単純であるにもかかわらず、二次部品を使用せずにカッターとしての機能を兼ね備えている点にある。すなわち、前記頂片の開放辺は辺自体がテープカッターの機能を有し、引出した巻テープを前記開放辺に引っかけて切断することが可能となっている。
【考案の効果】
【００１３】
本テープホルダーは極小の材料でテープをホールド及びカットすることができるため、軽量で嵩張らず、巻テープの携帯性が大きく向上する。
【００１４】
カット部に金具や鋸刃を有さないため、そのままポケット等に入れたり、身に着けて携帯することができ、携帯時の安全性が向上する。
【００１５】
省コスト性に優れるため、量産による市場拡大と、需要者への安価な提供が可能となる。
【００１６】
素材への印刷が簡単であるため、需要者層に合わせた商品の開発や、販促物としての市場開拓が可能となる。
【図面の簡単な説明】
【００１７】
【図１】本考案に係るテープホルダーの平面図である。（Ａ）は実施形態１、（Ｂ）は実施形態２のテープホルダーである。
【図２】巻テープに装着する前のテープホルダーを示す平面図である。
【図３】巻テープへの装着方法を示す斜視図である(実施形態１)。
【図４】テープをカットする方法を示す斜視図である(実施形態１)。
【図５】実施形態３のテープホルダーの平面図である。
【図６】実施形態３のテープホルダーを巻テープに装着した状態を示す斜視図である。
【図７】（Ａ）は実施形態４、（Ｂ）は実施形態５のテープホルダーの平面図である。
【考案を実施するための形態】
【００１８】
以下、本考案の実施例の３形態を図を用いて説明する。
【００１９】
（実施形態１）
本考案に係るテープホルダーは軟質のプラスチック材より成り、図１及び２に示すように、巻テープに装着前の形状は細長い帯片である。長手方向の中央近傍に幅方向に折り曲げ線３ａと３ｂが、また、各々の折り曲げ線からの垂直距離が等しくなるように、切込み４ａ及び４ｂが設けられている。切込み４ａ及び４ｂは帯片の長手方向で向かい合う２の辺から直角に幅方向中央までを切り込む形で設けられている。
【００２０】
次に、テープホルダーを巻テープに装着する手順を説明する。
図２は、巻テープに装着する前のテープホルダーを示す。まず、帯片の一方の端部を巻テープの筒内を通過させる。次に、折り曲げ線３ａ及び３ｂを折り、頂片５を形成する（図３）。さらに、図３に示すように、切込み４ａと４ｂを係合させ帯片の両半部を接合する。これにより、側片６及び下片７が形成され、装着が完了する。
【００２１】
本実施形態においては、上述の手順で巻テープ２に装着したテープホルダー１に形成された頂片５の開放辺がカッター辺５１として機能する。使用法は図４に示すように、一方の手指でテープホルダー１の頂片５と巻テープ２の筒厚部分を押さえた後、他方の手指でテープの切取り部分をつまみ、カッター辺５１に引っかけて千切るようにカットする。
【００２２】
（実施形態２）
実施形態２のテープホルダーはカッターとしての機能を強化したもので、図１（Ｂ）に示すように、カッター辺５１が鋸刃状に成形されているのが特徴である。
【００２３】
（実施形態３）
実施形態３のテープホルダーは移動しながらテープを使用する場合を考慮し、携帯性をより高めたものである。すなわち、図５に示すように、切込み４以下の下片となる部分を長くして、下片７にリング孔８を設けたことを特徴とする。携帯時には図６に示すような形で孔７にリングを通したりするほか、フック、ボタンで身体の一部に留める等の使用法が可能である。
【００２４】
（実施形態４）
実施形態４のテープホルダーは実施形態２のテープホルダーよりも、さらにカッター機能を高めるために、図７（Ａ）に示すように、金属製のカッター９を頂片５の開放辺に着設したものである。着設の方法は最初からテープホルダーに接着して供給してもよいし、または、付属部品として必要時に板バネ式にテープホルダー装着して使用するようにしてもよい。
【００２５】
（実施形態５）
実施形態５は、テープカット時にテープがカッター辺５１に当接しやすいように、側片６の形状を下細の台形としたものである。これにより、側片６の接合部分が小さくなり、携帯時の強度が減少する。このため、接合方法については、切込みどうしの係合ではなく、ホッチキス等の二次部品を使用するのが望ましい。
【００２６】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。特に、本テープホルダーの帯片の具体的形状及び側片の接合方法については、ホルダーの使用形態により様々なものが可能である。また、カッター部分の切り口の形状や別部品の使用については、本考案の請求項１又は２記載の技術的特徴を具備しつつ、バリエーションが可能となるほか、本テープホルダーの強度補強や需要者層に合わせた装飾を目的とする付属品の付加、例えば、硬性の絵カードを本ホルダーに横着させる等の実施についても、本考案の技術的範囲に含まれるものと解する。
【符号の説明】
【００２７】
１    テープホルダー(帯片)
２    巻テープ
３ａ  折り曲げ線
３ｂ  折り曲げ線
４ａ  切込み
４ｂ  切込み
５    頂片
５１  カッター辺
６    側片
７    下片
８    リング孔
９    金属カッター
【図１】
0003197125.tif 000003
【図２】
0003197125.tif 000004
【図３】
0003197125.tif 000005
【図４】
0003197125.tif 000006
【図５】
0003197125.tif 000007
【図６】
0003197125.tif 000008
【図７】
0003197125.tif 000009
【手続補正書】
【提出日】平成27年2月19日(2015.2.19)
【手続補正１】
【補正対象書類名】実用新案登録請求の範囲
【補正対象項目名】全文
【補正方法】変更
【補正の内容】
【実用新案登録請求の範囲】
【請求項１】
円筒の形状をなす巻テープを支持する携帯型テープホルダーであって、
折り曲げ可能な軟質材より成り、
前記巻テープに装着前の形状は細長い帯片であり、
前記帯片の長手方向中央部近傍に幅方向に形成された２の折り曲げ線を有し、
装着においては前記細長い帯片を前記巻テープの筒厚部分に１巻回させ前記２の折り曲げ線を内側に折り、前記円筒の筒内で前記帯片の相対する片を接合させることにより前記巻テープに装着させることを特徴とするテープホルダー。
【請求項２】
前記帯片の長手方向で向かい合う２の辺にはそれぞれ前記折り曲げ線からの垂直距離が等しくなる位置に幅方向中央までの切込みが設けられ、
前記巻テープへの装着においては、前記切込みを互いに係合させることにより前記帯片の相対する片を接合させることを特徴とする請求項１記載のテープホルダー。
【請求項３】
前記巻テープへの装着においては、熱溶着又は接着剤によって前記帯片の相対する片を接合させることを特徴とする請求項１記載のテープホルダー。
【請求項４】
前記巻テープへの装着においては、接合部材を使用して前記帯片の相対する片を接合させることを特徴とする請求項１記載のテープホルダー。
【請求項５】
前記テープホルダーは装着後においては、
前記２の折り曲げ線と帯片の長手方向２辺に囲まれた矩形の平面であって前記巻テープの表曲面の一部に冠着する頂片と、
前記巻テープの両側面の一部に狭着し前記筒内で接合する２の側片と、
前記接合した２の側片の前記接合部分より延伸する１又は２の下片と、
から成ることを特徴とする請求項１乃至４のいずれかに記載のテープホルダー。
【請求項６】
前記頂片の開放辺は辺自体がテープカッターとして前記巻テープを切断することが可能であることを特徴とする請求項５に記載のテープホルダー。
【請求項７】
前記頂片の開放辺に硬質材のテープカッターが着設され、前記テープカッターにより前記巻テープを簡易に切断することを可能としたことを特徴とする請求項５に記載のテープホルダー。